(57)【特許請求の範囲】
【請求項１】
基地局と複数の端末局とを有するTDMA(Time Division Multiple Access)方式によるデジタル無線システムにおいて、
前記基地局の通信可能ゾーンにある端末局は、信号を受信したスロットから信号を送信するスロットをそれぞれ異なるスロットに乗せ替えて予め設定された遅延時間分タイミングを早めて送信を行い、
更に前記基地局の不感地帯にある端末局と通信するための中継局を備え、
該不感地帯にある端末局の１つと前記基地局とで、前記中継局を介してTDD(Time Division Duplex)方式によって通信を行い、
前記中継局は、前記不感地帯にある端末局から送信した送信信号の伝搬遅延時間を算出し、
算出した該遅延時間を前記不感地帯にある端末局に通知し、
前記不感地帯にある端末局は、該通知された遅延時間分送信タイミングを早めることによって前記不感地帯にある端末局が前記中継局への送信タイミング制御を行い、
前記基地局と前記中継局間で使用するスロットと前記中継局と前記不感地帯にある端末局との間で使用するスロットとをそれぞれ異なるスロットに乗せ替えることによって前記不感地帯にある端末局の１つと前記基地局とで通信することを特徴とするTDMA中継方式。
【請求項２】
請求項１記載のTDMA中継方式において、
前記基地局で使用する無線キャリアと前記不感地帯で使用する無線キャリアとをそれぞれ異なる周波数の無線キャリアとすることを特徴とするTDMA中継方式。
【請求項３】
請求項１記載のTDMA中継方式において、
前記基地局で使用する無線キャリアと前記不感地帯で使用する無線キャリアとが同一の無線キャリアであることを特徴とするTDMA中継方式。
【請求項４】
請求項１乃至請求項３のいずれかに記載のTDMA中継方式において、
１フレームを構成する送信スロットと受信スロットの数が異なることを特徴とするTDMA中継方式。
【発明の詳細な説明】
【０００１】
【発明の属する技術分野】
本発明は、TDMA（Time Division Multiple Access）方式によるデジタル無線システムの中継に関する。
【０００２】
【従来の技術】
従来の中継方式を図５と図１０によって説明する。図５は、従来のTDMA中継方式を説明するための図である。TDMAデジタル移動通信システムは、基地局と端末局とで構成され、通信は、主に、基地局と端末局とで通信を行う場合と、端末局と端末局とで通信を行う場合とがあり、１つの無線キャリアをフレームに区切り、そのフレームを多重数に対応するスロットに分けることによってマルチチャネル化するものである。また、端末局と端末局とで通信を行う場合には、主として、基地局を中継局として使用する。このような通信システムの規格として、例えば、RCR STD-39がある。
尚、図５と図１０において、無線キャリアは、上り／下り各１周波数（多重数：４）とする。また、変調方式は、π/4シフトQPSK（Quadrature Phase Shift Keying）とする。
【０００３】
回線制御装置１は、基地局２と、有線回線、マイクロ波回線等によって接続されている。基地局２と通信が可能なゾーン（基地ゾーン）６内に、車載機、携帯機、屋外子局、戸別受信装置等の端末局３が少なくとも１つ存在する。また、基地局２から送信された電波が直接届かない不感地帯で、かつ、山岳地帯等で回線制御装置と基地局の間を有線等のエントランス回線にて接続するのが困難なため別の基地局を設置できない場所において、通信を行いたい場所に近く基地ゾーン６内で最も基地局２から遠い場所に中継局４を設置する。中継局４との通信が可能なゾーン（中継ゾーン）７内に端末局５aと端末局５bが存在する。
また、図１０は、基地局２−端末局３、基地局２−中継局４−端末５a、及び基地局２−中継局４−端末５b間の接続例を示す図である。
図１０において、横方向に時間軸をとり、フレームとそのフレームを構成する各スロット（スロット１、スロット２、スロット３、スロット４）を示し、縦方向に、基地局２、端末局３、中継局４、端末局５a、５bについての使用する無線キャリア毎の接続例を示した。
【０００４】
図５において、基地局２と端末局３とは、送信用（上り）キャリアf1及び受信用（下り）キャリアf2を用いて通信を行う。
例えば、基地局２は、フレーム１のスロット２を用いてキャリアf1で送信し、端末局３はこれを受信する。これを図１０で表すと、基地局２のf1キャリアの、フレーム１のスロット２のTX2から、矢印が、端末局３のf1キャリアの、フレーム１のスロット２のRX2のへ接続となる。
また、端末局３は、フレーム１のスロット４を用いてキャリアf2で送信し、基地局２がスロット４を受信する。これを図１０で表すと、端末局３のf2キャリアの、フレーム１のスロット４のTX2から、矢印が、基地局２のf2キャリアの、フレーム１のスロット４のRX2への接続となる。
以上より、基地ゾーン６内の端末局３と双方向の通信が可能となる。
【０００５】
次に図５において、基地局２と端末局５aとは、中継局４を介して通信を行う。このとき、基地局２と中継局４とは、送信用キャリアf1及び受信用キャリアf2を用いて通信を行い、中継局４と端末局５aとは、送信用キャリアf3及び受信用キャリアf4を用いて通信を行う。
例えば、基地局２は、フレーム１のスロット１を用いてキャリアf1で送信し、中継局４はこれを受信する。これを図１０で表すと、基地局２のf1キャリアの、フレームのスロット１のTX1から、矢印が示すように、中継局４のf1キャリアの、フレーム１のスロット１のRX1への接続となる。
そして、中継局４は、基地局２から受信したキャリアf1の信号を、キャリアf3に乗せ替え、次のフレーム（フレーム２）のスロット１を用いて送信し、子局５aはこれを受信する。これを図１０で表すと、中継局４のf3キャリアの、フレーム２のスロット１のTX1′から、矢印が示すように、端末局５aのf3キャリアの、フレーム２のスロット１のRX1′への接続となる。
また受信に応じて、端末局５aは、次のフレーム３のスロット１を用いてキャリアf4で送信し、中継局４がスロット１を受信する。これを図１０で表すと、端末局５aのf4キャリアの、フレーム３のスロット１のTX1′から、矢印が示すように、中継局４のf4キャリアの、フレーム３のスロット１のRX1′への接続となる。
そして、中継局４は、端末局５aから受信したキャリアf4の信号を、キャリアf2に乗せ替え、フレーム４のスロット１を用いて送信し、基地局２はこれを受信する。これを図１０で表すと、端末局５aのf4キャリアの、フレーム４のスロット１のTX1′から、矢印が示すように、中継局４のf4キャリアの、フレーム４のスロット１のRX1′への接続となる。
【０００６】
同様に、図５において、基地局２と端末局５bとは、中継局４を介して通信を行う。このとき、基地局２と中継局４とは、送信用キャリアf1及び受信用キャリアf2を用いて通信を行い、中継局４と端末局５bとは、送信用キャリアf3及び受信用キャリアf4を用いて通信を行う。
例えば、基地局２は、フレーム１のスロット３を用いてキャリアf1で送信し、中継局４はこれを受信する。これを図１０で表すと、基地局２のf1キャリアの、フレーム１のスロット３のTX3から、矢印が示すように、中継局４のf1キャリアの、フレーム１のスロット３のRX3への接続となる。
そして、中継局４は、基地局２から受信したキャリアf1の信号を、キャリアf3に乗せ替え、次のフレーム（フレーム２）のスロット３を用いて送信し、子局５bはこれを受信する。これを図１０で表すと、中継局４のf3キャリアの、フレーム２のスロット３のTX3′から、矢印が示すように、端末局５bのf3キャリアの、フレーム２のスロット３のRX3′への接続となる。
また、受信に応答する場合は、端末局５bは、次のフレーム（フレーム３）のスロット３を用いてキャリアf4で送信し、中継局４がこれを受信する。これを図１０で表すと、端末局５bのf4キャリアの、フレーム３のスロット３のTX3′から、矢印が示すように、中継局４のf4キャリアの、フレーム３のスロット３のRX3′への接続となる。
そして、中継局４は、端末局５bから受信したキャリアf4の信号を、キャリアf2に乗せ替え、フレーム４のスロット３を用いて送信し、基地局２はこれを受信する。これを図１０で表すと、中継局４のf2キャリアの、フレーム４のスロット３のTX3′から、矢印が示すように、基地局２のf2キャリアの、フレーム４のスロット３のRX3′への接続となる。
以上より、中継ゾーン７内の端末局５a及び５bと、基地局２とで双方向の通信が可能となる。
その他、上記接続例以外でも、図１０に示す各スロットで、f1またはf2同士が空いているならば通信が可能である。
ここで示した従来技術は、FDD（Frequency Division Duplex）方式で通信を行う無線システムにおける中継方式であり、従来技術においてTDD（Time Division Duplex）方式によるデジタル無線システムでは、中継方式は存在しない。
【０００７】
【発明が解決しようとする課題】
前述の従来技術では、基地局と中継局間、及び中継局と中継ゾーン内端末局間の伝送遅延が大きい場合には、バースト信号の衝突が発生し、受信性能が劣化する欠点がある。また、前述の従来技術は、TDMA（FDD）方式のシステムの中継方式であり、TDMA（TDD）方式のシステムでは中継方式が存在しないため、基地局からの電波の届かない不感地帯や、山岳地帯等で回線制御装置と基地局の間を有線等のエントランス回線にて接続するのが困難な場合、通信可能エリアが狭くなってしまう欠点がある。
本発明の目的は、上記のような欠点を除去し、TDMA（TDD）方式の通信システムでの中継方式を提供するものである。
【０００８】
【課題を解決するための手段】
上記の目的を達成するために、本発明のTDMA通信方式は、受信性能の劣化を防ぐため、基地局からの通知により、中継局が基地局への送信タイミング制御を行って、無線区間の伝送遅延によるバースト信号の衝突を防いだものである。
また、中継ゾーン内端末局が中継局への送信タイミング制御を行うよう中継局が通知し、中継局と中継ゾーン内端末局間の伝送遅延によるバースト信号の衝突を防いだものである。
また、TDD方式によって通信されるデジタル無線システムにおいて、バースト信号の衝突を防いだ中継方式を用い、当該基地局ゾーンで実施されているキャリアを基地局用キャリアより十分離隔の取れた別のキャリアへ中継し、不感地帯との通信を可能にしたものである。
また更に、当該基地局ゾーンで実施されているチャネルを当該基地局用キャリアで中継し、当該基地局ゾーンで実施されているチャネルのスロットを中継局にて別のスロットへ乗せ変えて中継することで、不感地帯との通信を可能にしたものである。
また、送信スロットと受信スロットが１フレーム内で非対称の場合は、当該基地局ゾーンで実施されているキャリアを基地局用キャリアより十分離隔の取れた別のキャリアへ中継し、更に当該基地局ゾーンで実施されているチャネルのスロットを中継局にて別のスロットへ乗せ変えて中継することで、不感地帯との通信を可能したものである。
【０００９】
【発明の実態の形態】
本発明の中継方式の一実施例を図１と図６によって説明する。図１は、本発明のTDD方式のTDMA中継方式の一実施例を説明するための図である。また図６は、図１のTDMA中継方式の基地局２−端末局５aと基地局２−端末５b間の接続と送受信タイミングの一実施例を説明するための図である。本実施例は、受信性能の劣化を防いだ中継方式の一実施例を説明するための図である。
図１と図６において、無線キャリアは、上り／下り各１周波数（多重数：４）とする。また、変調方式は、π/4シフトQPSK（Quadrature Phase Shift Keying）とする。また、多重数は４とする。
【００１０】
図１の構成は、前述した図５と同じであり、基本的な接続は、図１０と同じであるため、説明を省略する。図１において、例えば、基地局２と端末局３、及び基地局２と中継局４の間で通信が行われており、中継局４の送信をスロット１（TX1）、端末局３の送信をスロット２（TX2）で行ったとする。この時、基地局２で受信した中継局４からの送信信号の伝搬遅延により、基地局２の持つ基準タイミング（図６の▲１▼）よりｎ時間遅れて受信される（図６の▲３▼）。このとき、基地局２で受信される端末局３からの送信信号（TX2）と中継局４からの送信信号（TX1）は、図６の▲４▼のようにｎ時間分重なって受信されることになり、受信性能を劣化させる原因となってしまう。そこで、基地局２は、基準タイミングからの遅延時間ｎを算出し、算出した遅延時間ｎを中継局４に通知し、中継局４に対して送信タイミングをｎ時間早めるようにする。中継局４はその通知を受けて送信タイミングを早めることにより、基地局２での受信タイミングは基準タイミングに戻り、正常に受信できるようになる。
【００１１】
同様に、中継ゾーン７において、例えば、中継局４と端末局５a、及び中継局４と端末局５bの間で通信が行われており、端末局５aの送信をスロット２（TX2）、端末局５bの送信をスロット１（TX1）で行ったとする。この時、中継局４で受信した端末局５bからの送信信号の伝搬遅延により、中継局４の持つ基準タイミング（図６の▲１▼）よりｎ時間遅れて受信される（図６の▲３▼）。従って、中継局４で受信される端末局５bからの送信信号（Tx1）と端末局５aからの送信信号（TX2）は、図６の▲４▼のようにｎ時間分重なって受信されることになり、受信性能を劣化させる原因となってしまう。そこで、中継局４は、この伝搬遅延時間ｎ′を算出し、端末局５bに算出した伝搬遅延時間ｎ′を通知し、送信タイミングをｎ′時間早めるようする。端末局５bはその通知を受けて送信タイミングをｎ′時間早めることにより、中継局４での受信タイミングは基準タイミングに戻り、正常に受信できるようになる。
【００１２】
次に、本発明の他の実施例を図２と図７によって説明する。図２は、本発明のTDD方式のTDMA中継方式の一実施例を説明するための図である。また図７は、基地局２−端末局３、及び基地局２−中継局４−端末局５間の接続例と送受信タイミングの一実施例を示した図である。
図７において、横方向に時間軸をとり、フレームとそのフレームを構成する各スロット（スロット１、スロット２、スロット３、スロット４）を示し、縦方向に、基地局２、端末局３、中継局４、端末局５についての使用する無線キャリア毎の接続例と送受信タイミングの一実施例を示す。
本実施例は、TDD方式の通信システムにおけるキャリア乗せ変え中継方式の一実施例である。尚、以下の実施例の説明において、図１と図６で説明した送信タイミング制御を行い、バースト信号の衝突を防いでいるものとする。
尚、図２と図７において、無線キャリアは、上り／下りとも同じ１周波数（多重数：４）を使用するが、基地ゾーン６内で使用する無線キャリアと中継ゾーン７内で使用する無線キャリアとは、それぞれ周波数f1（基地ゾーン６）、f2（中継ゾーン７）の異なる周波数を使用する。また、変調方式は、π/4シフトQPSK（Quadrature Phase Shift Keying）とする。
【００１３】
図２において、回線制御装置１は、基地局２に接続する。基地局２との通信が可能なゾーン即ち、基地ゾーン６内に、車載機、携帯機、屋外子局、戸別受信装置等の端末局３が少なくとも１つ存在する。また、基地局２からの電波の届かない不感地帯に、通信を行いたい場所に近く基地ゾーン６内で最も基地局２から遠い場所に中継局４を設置する。中継局４との通信が可能なゾーン即ち、中継ゾーン７内に端末局５が存在する。不感地帯は、例えば、山岳地帯等であり、特に回線制御装置と基地局の間を有線等のエントランス回線にて接続するのが困難な場所である。
【００１４】
基地局２は、送信用および受信用キャリアf1を用いて端末局３と通信を行う。
例えば、基地局２よりスロット２を用いて送信（TX2）し、端末局３はこれを受信（RX2）する。これを図７で表すと、基地局２のフレーム１のスロット２のTX2から、矢印が示すように、端末局３のフレーム１のスロット２のRX2への接続となる。
端末局３から送信する場合には、端末局３よりスロット４を用いて送信（TX2）し、基地局２にてこれを受信（RX2）する。これを図７で表すと、端末局３のフレーム１のスロット４のTX2から、矢印が示すように、基地局２のフレーム１のスロット４のRX2への接続となる。
以下同様に行うことにより、基地ゾーン６内の基地局２と端末局３とで双方向の通信が可能となる。
また、中継ゾーン７内の端末局５と通信する場合は、中継局４と送受信用キャリアf1を用いて通信し、これを中継局にてf2へキャリア乗せ替えを行い、送受信用キャリアf2にて端末局５と通信を行う。
例えば、基地局２よりスロット１を用いて送信（TX1）し、中継局４でこれを受信（RX1）して、スロット３を用いてキャリアf2で送信（TX1′）する。端末局５がこれを受信（RX1′）する。これを図７で表すと、中継局４のf2キャリアのフレーム１のスロット３のTX1′から、矢印が示すように、端末局５のフレーム１のスロット３のRX1′への接続となる。
受信に応じて、端末局側から基地局側に送信する場合には、端末局５より次のフレーム（フレーム２）のスロット１を用いてキャリアf2で送信（TX1′）する。中継局４でこれを受信（RX1′）し、次のスロット３を用いてキャリアf1で基地局２に向けて送信（TX1）する。これを図７で表すと、端末局５のf2キャリアのフレーム２のスロット１のTX1′から、矢印が示すように、中継局４のフレーム２のスロット１のRX1′への接続となり、更に中継局４のf1キャリアのフレーム２のスロット３のTX1から、矢印が示すように、基地局２のフレーム２のスロット３のRX1への接続となる。
以下同様に行うことにより、基地局と、中継ゾーン７内の端末局５とで、双方向の通信が可能となる。
また、端末局から通信を開始する必要が生じた場合等、上記接続例以外でも、図７に示す各スロットで、f1またはf2同士が空いているならば通信が可能である。
【００１５】
次に、本発明の他の実施例を図３と図８によって説明する。図３は、本発明のTDD方式のTDMA中継方式の一実施例を説明するための図である。また図８は、基地局２−端末局３、及び基地局２−中継局４−端末局５間の接続例と送受信タイミングの一実施例を示した図である。
本実施例は、TDD方式の通信システムにおけるスロット乗せ替え中継方式の一実施例である。尚、以下の実施例の説明において、図１と図６で説明した送信タイミング制御を行い、バースト信号の衝突を防いでいるものとする。
尚、図３と図８において、無線キャリアは、上り／下りとも同じ１周波数（多重数：４）を使用するとする。また、変調方式は、π/4シフトQPSK（Quadrature Phase Shift Keying）とする。
【００１６】
図３の回線制御装置１、基地局２、端末局３、中継局４、中継ゾーン内端末局５、基地ゾーン６、及び中継ゾーン７の設置状況や機能については、図２とほぼ同様であるので、説明を省略する。
図３において、基地局２は、送信用および受信用キャリアf1を用いて端末局３と通信を行う。例えば、基地局２よりスロット２を用いて送信（TX2）し、端末局３はこれを受信（RX2）する。これを図８で表すと、基地局２のフレーム１のスロット２のTX2から、矢印が示すように、端末局３のフレーム１のスロット２のRX2への接続となる。
端末局側から送信する場合には、端末局３よりスロット４を用いて送信（TX2）し、基地局２にてこれを受信（RX2）する。これを図８で表すと、端末局３のフレーム１のスロット４のTX2から、矢印が示すように、基地局２のフレーム１のスロット４のRX2への接続となる。
以下、同様に行うことにより、基地ゾーン６内の端末局３と双方向の通信が可能となる。
また、中継ゾーン７内の端末局５と通信する場合は、基地局２よりスロット１を用いてキャリアf1で送信（TX1）し、中継局４でこれを受信（RX1）する。これを図８で表すと、基地局２のフレーム１のスロット１のTX1から、矢印が示すように、中継局４のフレーム１のスロット１のRX1への接続となる。
中継局では、同一キャリアf1にて端末局５と通信するため、フレーム１のスロット４に乗せ替えて送信（TX1′）する。これを図８で表すと、中継局４のフレーム１のスロット４のTX1′から、矢印が示すように、端末局５のフレーム１のスロット４のRX1′への接続となる。
これを受信（RX1′）し、端末局側から送信する場合には、端末局５より、次のフレーム（フレーム２）のスロット２を用いて送信（TX1′）する。これを図８で表すと、端末局５のフレーム２のスロット２のTX1′から、矢印が示すように、中継局４のフレーム２のスロット２のRX1′への接続となる
中継局４でこれを受信（RX1′）し、次のフレーム（フレーム３）のスロット３に乗せ変えて基地局２に向けて送信（TX1）する。基地局２はこれを受信する（フレーム３のスロット３：RX1）。これを図８で表すと、中継局４のフレーム３のスロット３のTX1から、矢印が示すように、基地局２のフレーム３のスロット３のRX1への接続となる。
以下、同様に行うことにより、基地局２は、中継ゾーン７内の端末局５と双方向の通信が可能となる。
また、端末局から通信を開始する必要が生じた場合等、上記接続例以外でも、図８に示す各スロットが空いているならば通信が可能である。
【００１７】
次に、本発明の他の実施例を図４と図９によって説明する。図４は、本発明のTDD方式のTDMA中継方式の一実施例を説明するための図である。図４の回線制御装置１、基地局２、端末局３、中継局４、中継ゾーン内端末局５、基地ゾーン６、及び中継ゾーン７の設置状況や機能については、図２とほぼ同様であるので、説明を省略する。また図９は、基地局２−端末局３、及び基地，局２−中継局４−端末局５間の接続例と送受信タイミングの一実施例を示した図である。
本実施例は、TDD方式の通信システムにおけるキャリア乗せ替え中継方式の一実施例であり、図２の実施例が送受信スロットの割り当てを対象にしているのに対して、非対称、即ち、図４は、送信スロットと受信スロットが１フレーム内で非対称の場合における中継方式の一例である。尚、以下の説明において、図１と図６で説明した送信タイミング制御を行い、バースト信号の衝突を防いでいるものとする。
尚、図４と図９において、無線キャリアは、上り／下りとも同じ１周波数（多重数：４）を使用するが、基地ゾーン６内で使用する無線キャリアと中継ゾーン７内で使用する無線キャリアとは、それぞれ周波数f1（基地ゾーン６）、f2（中継ゾーン７）の異なる周波数を使用する。また、変調方式は、π/4シフトQPSK（Quadrature Phase Shift Keying）とする。
【００１８】
図４において、１フレーム内の送受信スロット数は（送信３：受信１）または（送信１：受信３）である。回線制御装置１、基地局２、端末局３、中継局４、中継ゾーン内端末局５、基地ゾーン６、及び中継ゾーン７については、図２と同様であるので、説明を省略する。
まず、１フレーム内の送受信スロット数が（送信３：受信１）の場合の一実施例について、図４と図９(a)を用いて説明する。基地局２は、送信用および受信用キャリアf1を用いて通信し、これを中継局にてf2へキャリア乗せ変えを行い、送受信用キャリアf2にて端末局５と通信を行う。
例えば、基地局２において、スロット１が受信スロット（RX1）、スロット２，３，４が送信スロット（TX1，TX2，TX3）とする。基地局２よりスロット３を用いて送信（TX2）し、中継局４でこれを受信（RX2）する。これを図９(a)で表すと、基地局２のフレーム１のスロット３のTX2から、矢印が示すように、中継局４のフレーム１のスロット３のRX2への接続となる。
そして、中継局４は、次のフレーム（フレーム２）のスロット１を用いてキャリアf2で送信（TX2′）する。端末局５はこれを受信（RX2′）する。これを図９(a)で表すと、中継局４のフレーム２のスロット１のTX2′から、矢印が示すように、端末局５のフレーム２のスロット１のRX2′への接続となる。
次に、端末局側から送信する場合には、端末局５より、フレーム２のスロット３を用いてキャリアf2で送信（TX1′）し、中継局４でこれを受信（RX1′）する。これを図９(a)で表すと、端末局５のフレーム２のスロット３のTX1′から、矢印が示すように、中継局４のフレーム２のスロット３のRX1′への接続となる。
中継局４は、次のフレーム（フレーム３）のスロット１を用いてキャリアf1で基地局２に向けて送信（TX1）する。これを図９(a)で表すと、中継局４のフレーム３のスロット１のTX1から、矢印が示すように、基地局２のフレーム３のスロット１のRX1への接続となる。
以下、同様に行うことにより、基地局２は、中継ゾーン７内の端末局５とで双方向の通信が可能となる。
また、端末局から通信を開始する必要が生じた場合等、上記接続例以外でも、図９(a)に示す各スロット、無線キャリアf1、f2が空いているならば通信が可能である。
【００１９】
同様に、１フレーム内の送受信スロット数が（送信１：受信３）の場合の一実施例について、図４と図９(b)を用いて説明する。この場合は、例えば、基地局２において、スロット１が送信スロット（TX1）、スロット２，３，４が受信スロット（RX1，RX2，RX3）とする。
基地局２よりスロット１を用いて送信（TX1）し、中継局４でこれを受信（RX1）する。これを図９(b)で表すと、基地局２のフレーム１のスロット１のTX1から、矢印が示すように、中継局２のフレーム１のスロット１のRX1への接続となる。
そして、中継局４ではスロット３を用いてキャリアf2で送信（TX1′）し、端末局５はこれを受信（RX1′）する。これを図９(b)で表すと、中継局４のフレーム１のスロット３のTX1′から、矢印が示すように、端末局５のフレーム１のスロット３のRX1′への接続となる。
これに応じて、端末局側から送信する場合には、端末局５より次のフレーム（フレーム２）のスロット１を用いてキャリアf2で送信（TX2′）する。中継局４でこれを受信（RX2′）する。これを図９(b)で表すと、端末局５のフレーム２のスロット１のTX2′から、矢印が示すように、中継局４のフレーム２のスロット１のRX1′への接続となる。
そして、中継局４は、スロット３を用いてキャリアf1で基地局２に向けて送信（TX2）する。これを図９(b)で表すと、中継局４のフレーム２のスロット３のTX2から、矢印が示すように、基地局２のフレーム２のスロット３のRX2への接続となる。
以下、同様に行うことにより、基地局２と、中継ゾーン７内の端末局５とで双方向の通信が可能となる。
また、端末局から通信を開始する必要が生じた場合等、上記接続例以外でも、図９(b)に示す各スロット、無線キャリアf1、f2が空いているならば通信が可能である。
【００２０】
上記実施例では、変調方式をπ/4シフトQPSKとしたが、16QAM変調方式等、何であっても良いことは自明である。
【００２１】
【発明の効果】
本発明によれば、TDMA方式のデジタル無線システムにおいて、無線区間の伝送遅延によるバースト信号の衝突を防ぎ、受信性能の劣化を防いだ中継システムを提供することができる。また、TDMA （TDD）方式で通信を行うデジタル無線システムにおいて、基地局からの電波の届かない不感地帯や、山岳地帯等で回線制御装置と基地局の間を有線等のエントランス回線にて接続するのが困難な場所においても通信可能となり、エリア拡張を行うことができる。
【図面の簡単な説明】
【図１】  本発明のTDMA中継方式の一実施例を説明するための図。
【図２】  本発明のTDMA中継方式の一実施例を説明するための図。
【図３】  本発明のTDMA中継方式の一実施例を説明するための図。
【図４】  本発明のTDMA中継方式の一実施例を説明するための図。
【図５】  従来のTDMA中継方式を説明するための図。
【図６】  本発明のTDMA中継方式の接続と送受信タイミングの一実施例を説明するための図。
【図７】  本発明のTDMA中継方式の接続と送受信タイミングの一実施例を説明するための図。
【図８】  本発明のTDMA中継方式の接続と送受信タイミングの一実施例を説明するための図。
【図９】  本発明のTDMA中継方式の接続と送受信タイミングの一実施例を説明するための図。
【図１０】  従来のTDMA中継方式の接続と送受信タイミングの一実施例を説明するための図。
【符号の説明】
１：回線制御装置、  ２：基地局、  ３：基地ゾーン内端末局、  ４：中継局、  ５，５a，５b：中継ゾーン内端末局、  ６：基地ゾーン、  ７：中継ゾーン。
【図１】
0003967084.tif 000002
【図２】
0003967084.tif 000003
【図３】
0003967084.tif 000004
【図４】
0003967084.tif 000005
【図５】
0003967084.tif 000006
【図６】
0003967084.tif 000007
【図７】
0003967084.tif 000008
【図８】
0003967084.tif 000009
【図９】
0003967084.tif 000010
【図１０】
0003967084.tif 000011